(57)【要約】【課題】システム構成の簡素化を可能にした共用システム及び機器共用方法を提供する。【解決手段】携帯端末８は、データセンター１０から鍵情報Ｄｋを取得することにより、時間貸し駐車場において車両を入庫及び出庫させるときの端末となる。情報通知部２６は、入場ゲート５から車両を入庫するとき、ネットワーク通信を通じて入庫履歴データＤ１をデータセンター１０に送信する。また、情報通知部２６は、車両が退場ゲート６から出庫されるとき、ネットワーク通信を通じて出庫履歴データＤ２をデータセンター１０に送信する。【選択図】図１
2019191883.tif 000002
【特許請求の範囲】
【請求項１】
共用される機器の使用時に必要な鍵情報を取り込んだ携帯端末によって前記機器を作動させる場合に、機器側に設けられた認証装置と前記携帯端末とで認証が実行され、当該認証が成立すれば、前記認証装置を通じた前記機器の作動が可能となる共用システムであって、
前記機器の利用状態を当該機器のユーザの前記携帯端末を介して外部に通知する情報通知部を備える共用システム。
【請求項２】
前記携帯端末が前記利用状態を通知する前記外部は、前記鍵情報を発行するデータセンターである
請求項１に記載の共用システム。
【請求項３】
前記情報通知部は、前記携帯端末と前記外部との間で持ち合う秘密鍵で前記利用状態のデータを暗号化して通知する
請求項１又は２に記載の共用システム。
【請求項４】
前記機器が設けられた設備は、時間貸し駐車場であり、
前記利用状態は、前記時間貸し駐車場に駐車される車両の入庫履歴及び出庫履歴の各データである
請求項１〜３のうちいずれか一項に記載の共用システム。
【請求項５】
共用される機器の使用時に必要な鍵情報を取り込んだ携帯端末によって前記機器を作動させる場合に、機器側に設けられた認証装置と前記携帯端末とで認証が実行され、当該認証が成立すれば、前記認証装置を通じて前記機器の作動が可能となる機器共用方法であって、
前記機器の利用状態を当該機器のユーザの前記携帯端末を介して外部に通知する機器共用方法。
【発明の詳細な説明】
【技術分野】
【０００１】
本発明は、機器の共用サービスを提供する共用システム及び機器共用方法に関する。
【背景技術】
【０００２】
従来、時間貸し駐車場の駐車状態を管理する駐車場管理システムが周知である（特許文献１等参照）。この駐車場管理システムでは、駐車場に複数のロケーションレシーバを設置し、駐車場内の車両にＩＤタグが設けられることを前提としている。そして、車両が駐車場内に入った場合、ＩＤタグからロケーションレシーバに送信される電波の到達時間を基に車両の位置を特定し、駐車場内の車両の駐車状態を把握する。
【先行技術文献】
【特許文献】
【０００３】
【特許文献１】特開２００８−２１００１８号公報
【発明の概要】
【発明が解決しようとする課題】
【０００４】
ところで、駐車場において車両の入出庫を管理しようとした場合、特許文献１の技術では、種々の部材が必要となってしまい、システム構成が煩雑になる。よって、簡素な構成で駐車場における車両の入出庫を管理したいニーズがあった。
【０００５】
本発明の目的は、システム構成の簡素化を可能にした共用システム及び機器共用方法を提供することにある。
【課題を解決するための手段】
【０００６】
前記問題点を解決する共用システムは、共用される機器の使用時に必要な鍵情報を取り込んだ携帯端末によって前記機器を作動させる場合に、機器側に設けられた認証装置と前記携帯端末とで認証が実行され、当該認証が成立すれば、前記認証装置を通じた前記機器の作動が可能となる構成であって、前記機器の利用状態を当該機器のユーザの前記携帯端末を介して外部に通知する情報通知部を備える。
【０００７】
本構成によれば、複数人により共用される機器の利用状態を、機器を利用するユーザの携帯端末を通じて外部に通知することが可能となる。このため、機器の利用状態を外部に通知するにあたって、別の部材を機器やその関連の設備等に別途設けずに済む。よって、システム構成を簡素化することが可能となる。
【０００８】
前記共用システムにおいて、前記携帯端末が前記利用状態を通知する前記外部は、前記鍵情報を発行するデータセンターであることが好ましい。この構成によれば、鍵情報を付与した携帯端末で機器が利用された場合に、その利用後の状態を、現状の機器の利用状態としてデータセンターに通知することが可能となる。
【０００９】
前記共用システムにおいて、前記情報通知部は、前記携帯端末と前記外部との間で持ち合う秘密鍵で前記利用状態のデータを暗号化して通知することが好ましい。この構成によれば、携帯端末から外部に利用状態を通知するときの改竄に対するセキュリティ性を確保することが可能となる。
【００１０】
前記共用システムにおいて、前記機器が設けられた設備は、時間貸し駐車場であり、前記利用状態は、前記時間貸し駐車場に駐車される車両の入庫履歴及び出庫履歴の各データであることが好ましい。この構成によれば、時間貸し駐車場の利用状態を、携帯端末を通じて外部に通知することが可能となる。よって、時間貸し駐車場の利用状態を、簡素なシステム構成により、逐次管理することが可能となる。
【００１１】
前記問題点を解決する機器共用方法は、共用される機器の使用時に必要な鍵情報を取り込んだ携帯端末によって前記機器を作動させる場合に、機器側に設けられた認証装置と前記携帯端末とで認証が実行され、当該認証が成立すれば、前記認証装置を通じて前記機器の作動が可能となる方法であって、前記機器の利用状態を当該機器のユーザの前記携帯端末を介して外部に通知する。
【発明の効果】
【００１２】
本発明によれば、システム構成を簡素化することができる。
【図面の簡単な説明】
【００１３】
【図１】一実施形態の共用システムの構成図。
【図２】時間貸し駐車場の概要図。
【図３】鍵情報の登録の手順を示すフローチャート。
【図４】時間貸し駐車場に入庫するときの手順を示すフローチャート。
【図５】時間貸し駐車場から出庫するときの手順を示すフローチャート。
【発明を実施するための形態】
【００１４】
以下、共用システム及び機器共用方法の一実施形態を図１〜図５に従って説明する。
図２に示すように、複数人で共用される設備１は、時間貸し駐車場２である。時間貸し駐車場２は、車両３の入庫及び出庫の際に通過するゲート機４を備える。ゲート機４は、入庫時に通過する入場ゲート５と、出庫時に通過する退場ゲート６とを備える。入場ゲート５は、入庫時に開閉される機器７としての入場ゲートバー５ａを備える。退場ゲート６は、出庫時に開閉される機器７としての退場ゲートバー６ａを備える。
【００１５】
図１に示すように、時間貸し駐車場２は、予約した規定時間内の間、各ユーザが所持する携帯端末８でゲート機４を操作できるようにする共用システム９を備える。本例の共用システム９は、例えば暗号化された鍵情報Ｄｋを外部（本例はデータセンター１０）から携帯端末８に登録し、設備１に設けた認証装置１１との間で鍵情報Ｄｋの認証を実行し、その認証結果をゲート機４の操作可否の１条件とするものである。鍵情報Ｄｋは、例えば利用時間制限の要素が入った鍵の一種である。鍵情報Ｄｋは、使用が一度又は一定期間のみ許可されたワンタイムキー（ワンタイムパスワード）であることが好ましい。
【００１６】
携帯端末８は、携帯端末８の作動を制御する端末制御部１３と、携帯端末８においてネットワーク通信を行うネットワーク通信モジュール１４と、携帯端末８において近距離無線通信を行う近距離無線モジュール１５と、データ書き込み及び書き替えが可能なメモリ１６とを備える。携帯端末８は、データセンター１０からネットワーク通信を通じて鍵情報Ｄｋを取得した場合、この鍵情報Ｄｋをメモリ１６に書き込み保存する。近距離無線通信は、例えばブルートゥース（Bluetooth：登録商標）であることが好ましい。
【００１７】
携帯端末８は、携帯端末８において共用システム９の作動を管理するユーザインターフェースアプリケーション１７を備える。ユーザインターフェースアプリケーション１７は、例えばデータセンター１０からダウンロードされるなどして、端末制御部１３に設けられる。ユーザインターフェースアプリケーション１７は、例えば時間貸し駐車場２の利用手続き（本人認証、予約手続き）や、ゲート機４の作動など、種々の処理を実行する。
【００１８】
認証装置１１は、入場ゲート５に設けられた第１認証装置１１ａと、退場ゲート６に設けられた第２認証装置１１ｂとがある。第１認証装置１１ａは、携帯端末８との通信（近距離無線通信）を通じて、入場ゲート５の作動を制御する。第２認証装置１１ｂは、携帯端末８との通信（近距離無線通信）を通じて、退場ゲート６の作動を制御する。
【００１９】
第１認証装置１１ａは、携帯端末８に登録された鍵情報Ｄｋの正否を認証する鍵情報認証部２０ａと、入場ゲート５に設けられたゲート制御部２１ａを通じて入場ゲート５を作動させる制御処理部２２ａと、データ書き込み及び書き替えが可能なメモリ２３ａとを備える。鍵情報認証部２０ａは、携帯端末８から近距離無線通信を通じて鍵情報Ｄｋを取得し、この鍵情報Ｄｋを認証する。鍵情報認証部２０ａは、鍵情報Ｄｋの認証が成立に移行した場合、制御処理部２２ａの作動を有効にする。
【００２０】
制御処理部２２ａは、作動が有効となっている場合、携帯端末８から近距離無線を通じて入場ゲート５の操作要求を受信すると、これをゲート制御部２１ａに出力する。ゲート制御部２１ａは、制御処理部２２ａから入力した操作要求を基に、入場ゲート５の入場ゲートバー５ａを作動させる。このように、ゲート制御部２１ａは、制御処理部２２ａからの各種要求に応じて、入場ゲートバー５ａを作動させるものである。
【００２１】
第２認証装置１１ｂは、第１認証装置１１ａと同様に、鍵情報認証部２０ｂ、制御処理部２２ｂ及びメモリ２３ｂを備える。制御処理部２２ｂは、鍵情報Ｄｋの認証成立を経て作動が有効となっている場合、携帯端末８から近距離無線を通じて退場ゲート６の操作要求を受信すると、これを退場ゲート６のゲート制御部２１ｂに出力する。ゲート制御部２１ｂは、制御処理部２２ｂから入力した操作要求を基に、退場ゲート６の退場ゲートバー６ａを作動させる。このように、ゲート制御部２１ｂは、制御処理部２２ｂからの各種要求に応じて、退場ゲートバー６ａを作動させるものである。
【００２２】
共用システム９は、設備１の利用状態をユーザの携帯端末８を介して外部に通知する情報通知部２６を備える。情報通知部２６は、携帯端末８の端末制御部１３に設けられ、ユーザインターフェースアプリケーション１７を通じて機能的に生成される。本例の情報通知部２６は、時間貸し駐車場２の利用状態を、携帯端末８を介してデータセンター１０に通知する。利用状態は、例えば時間貸し駐車場２に入庫したことを通知する入庫履歴データＤ１や、時間貸し駐車場２から出庫したことを通知する出庫履歴データＤ２などがある。
【００２３】
次に、図３及び図４を用いて、本実施形態の共用システム９の作用及び効果について説明する。
図３に、鍵情報Ｄｋの登録の手順を示す。同図のステップ１０１において、携帯端末８は、時間貸し駐車場２の利用にあたり、データセンター１０との間でネットワーク通信を通じて本人認証を実行する。本人認証は、例えば共用システム９の利用登録時に付与されたユーザＩＤ及びパスワードを確認する認証である。
【００２４】
ステップ１０２において、携帯端末８は、データセンター１０との間でネットワーク通信を通じて時間貸し駐車場２の予約手続きを実行する。この予約手続きでは、例えば使用駐車場や使用日時等が入力され、これらがデータセンター１０に送信される。
【００２５】
ステップ１０３において、データセンター１０は、本人認証が成立した場合、鍵情報Ｄｋを生成する。本例の場合、データセンター１０は、予約手続き時に取得した情報を用いて、鍵情報Ｄｋを生成する。本例の鍵情報Ｄｋは、例えば「予約日時」、「端末ＩＤ」、「ユーザ認証鍵」などを平文とし、例えば予約駐車場（入場ゲート５や退場ゲート６）に設けられた認証装置１１の暗号鍵（例えば認証装置固有鍵）を暗号化鍵として、これらを暗号式（暗号アルゴリズム）に通すことにより生成された暗号文からなる。端末ＩＤは、携帯端末８の固有ＩＤである。ユーザ認証鍵は、例えば携帯端末８でゲート機４の操作を行うときに、携帯端末８及び認証装置１１の間で暗号通信される鍵の一種である。なお、利用手続きの際には、鍵情報Ｄｋとして入庫用鍵情報Ｄｋ１が生成される。
【００２６】
ステップ１０４において、データセンター１０は、生成した鍵情報Ｄｋ（入庫用鍵情報Ｄｋ１）を、携帯端末８にネットワーク通信を通じて送信する。携帯端末８は、データセンター１０から鍵情報Ｄｋ（入庫用鍵情報Ｄｋ１）を取得すると、これをメモリ１６に書き込み保存する。これにより、携帯端末８に鍵情報Ｄｋ（入庫用鍵情報Ｄｋ１）が登録される。
【００２７】
図４は、車両３が入場ゲート５から時間貸し駐車場２に入るときの手順を示す。同図のステップ２０１において、携帯端末８は、データセンター１０からネットワーク通信を通じて鍵情報Ｄｋ（入庫用鍵情報Ｄｋ１）を取得済みであるとする。
【００２８】
ステップ２０２において、携帯端末８は、車両３の入庫の際に、入場ゲート５に近づいたとする。
ステップ２０３において、携帯端末８は、入場ゲート５の第１認証装置１１ａと近距離無線通信を接続する。この場合、第１認証装置１１ａから定期送信されるアドバタイズを携帯端末８が受信すると、携帯端末８がコネクトリクエストを第１認証装置１１ａに自動で返信することにより、近距離無線通信が接続される。
【００２９】
携帯端末８は、第１認証装置１１ａと近距離無線通信が接続されると、鍵情報Ｄｋ（入庫用鍵情報Ｄｋ１）の認証を実行する。このとき、携帯端末８は、メモリ１６に登録された入庫用鍵情報Ｄｋ１を、近距離無線通信を通じて第１認証装置１１ａに送信する。入庫用鍵情報Ｄｋ１は、例えばＢＬＥ（Bluetooth Low Energy）を通じて第１認証装置１１ａに送信される。
【００３０】
第１認証装置１１ａは、携帯端末８から入庫用鍵情報Ｄｋ１を受信すると、入庫用鍵情報Ｄｋ１を認証する。本例の場合、鍵情報認証部２０ａは、暗号鍵（例えば認証装置固有鍵）を用いて入庫用鍵情報Ｄｋ１を復号し、この復号が成功したか否かを確認する。このとき、入庫用鍵情報Ｄｋ１の復号が成功すれば、入庫用鍵情報Ｄｋ１に含まれていた「予約日時」、「端末ＩＤ」、「ユーザ認証鍵」などを取得することができる。これにより、予約した規定時間の間、携帯端末８で入場ゲート５を操作できるようになる。
【００３１】
第１認証装置１１ａは、入庫用鍵情報Ｄｋ１の認証が成功すれば、入庫用鍵情報Ｄｋ１の「認証完了状態」に移行し、制御処理部２２ａの作動が有効となる。よって、制御処理部２２ａは、ゲート制御部２１ａを介した入場ゲート５（入場ゲートバー５ａ）の作動が実行可能となる。また、第１認証装置１１ａは、入庫用鍵情報Ｄｋ１の認証が成立した場合、入庫用鍵情報Ｄｋ１やユーザ認証鍵をメモリ２３ａに書き込み保存する。
【００３２】
第１認証装置１１ａは、入庫用鍵情報Ｄｋ１の認証が成立した場合、この認証において取得したユーザ認証鍵を、近距離無線通信を通じて携帯端末８に通知する。携帯端末８は、第１認証装置１１ａからユーザ認証鍵を受信すると、これをメモリ１６に登録する。以上により、携帯端末８及び第１認証装置１１ａの両方にユーザ認証鍵が登録される。従って、携帯端末８で第１認証装置１１ａを通じて入場ゲート５を作動させる場合、携帯端末８及び第１認証装置１１ａの間の暗号通信にユーザ認証鍵が使用される。
【００３３】
ステップ２０４において、携帯端末８は、入庫用鍵情報Ｄｋ１の認証成立後、入場ゲート５の開作動を要求するゲート開要求を、近距離無線を通じて第１認証装置１１ａに送信する。ゲート開要求は、ユーザ認証鍵によって暗号化されて送信される。なお、入場ゲート５の開作動は、例えば携帯端末８での操作を必要とするものでもよい。この場合、例えば携帯端末８の画面上に入場ゲート開操作ボタンを表示し、同ボタンをタップする操作であることが好ましい。
【００３４】
ステップ２０５において、第１認証装置１１ａは、携帯端末８からゲート開要求を受信すると、これをゲート制御部２１ａに出力する。
ステップ２０６において、ゲート制御部２１ａは、ゲート開要求の入力を契機に入場ゲートバー５ａを開く。これにより、車両３が時間貸し駐車場２内に入場することが可能となる。
【００３５】
ステップ２０７において、ゲート制御部２１ａは、入場ゲート５を開状態に切り替えると、その旨を通知するゲート開応答を第１認証装置１１ａに出力する。
ステップ２０８において、第１認証装置１１ａは、ゲート制御部２１ａからゲート開応答を入力すると、これを、近距離無線を通じて携帯端末８を送信する。ゲート開応答は、ユーザ認証鍵によって暗号化されて送信される。携帯端末８は、第１認証装置１１ａからゲート開応答を受信すると、例えばその旨を携帯端末８の画面上に表示するなどして、入場ゲート５が開いたことをユーザに通知する。
【００３６】
ステップ２０９において、携帯端末８の情報通知部２６は、第１認証装置１１ａからゲート開応答を受信すると、時間貸し駐車場２の利用状態として、時間貸し駐車場２への入庫を表す入庫履歴データＤ１を、ネットワーク通信を通じてデータセンター１０に送信する。入庫履歴データＤ１は、例えば時間貸し駐車場２の利用者情報と、時間貸し駐車場２の入庫時間とを含むデータであることが好ましい。利用者情報は、例えば利用手続き時に入力したユーザの各種情報（住所、氏名、電話番号等）であることが好ましい。
【００３７】
また、情報通知部２６は、携帯端末８とデータセンター１０との間で持ち合う秘密鍵によって入庫履歴データＤ１を暗号化して、携帯端末８からデータセンター１０に送信する。秘密鍵は、携帯端末８及びデータセンター１０の両者が認識する鍵であればよく、例えば鍵情報Ｄｋやユーザ認証鍵など、種々の鍵を使用可能である。
【００３８】
データセンター１０は、携帯端末８から入庫履歴データＤ１を受信すると、この入庫履歴データＤ１から、このときにユーザが何時に時間貸し駐車場２に車両３を入庫したのかが分かる。また、このように入庫時間が分かれば、出庫時の決済もし易くなる。さらに、データセンター１０は、入庫する各車両３から入庫履歴データＤ１を受け付けるので、時間貸し駐車場２の空き状態を把握することが可能となる。よって、時間貸し駐車場２の予約表に利用状況を反映することも可能となる。
【００３９】
ステップ２１０において、時間貸し駐車場２は、駐車場利用中の状態に入る。
図５に、車両３が退場ゲート６から時間貸し駐車場２を出るときの手順を示す。同図のステップ３０１において、時間貸し駐車場２は、駐車場利用中の状態であるとする。
【００４０】
ステップ３０２において、携帯端末８は、車両３を時間貸し駐車場２から出庫する場合、携帯端末８を操作して決済手続きを実行する。決済手続きは、例えば携帯端末８のディスプレイに決済画面を表示し、同画面に表示される決済ボタンをタップする操作であることが好ましい。
【００４１】
ステップ３０３において、携帯端末８は、携帯端末８で決済手続きが実行されると、車両３の出庫を要望する旨の出庫通知を、ネットワーク通信を通じてデータセンター１０に送信する。
【００４２】
ステップ３０４において、データセンター１０は、携帯端末８から出庫要求を受信すると、時間貸し駐車場２の利用に要した金額を算出する。本例の場合、データセンター１０は、車両３の入庫時に携帯端末８から入庫履歴データＤ１を取得するので、この入庫履歴データＤ１から入庫時間を確認し、入庫時間からの経過時間を求めて、時間貸し駐車場２の利用金額を算出する。
【００４３】
ステップ３０５において、データセンター１０は、時間貸し駐車場２の利用金額を算出すると、利用金額の精算を要求する精算要求を、ネットワーク通信を通じて携帯端末８に送信する。
【００４４】
ステップ３０６において、携帯端末８は、利用金額の精算を携帯端末８上で実行する。本例の場合、例えば携帯端末８の画面に利用金額が表示され、画面上の精算実行ボタンがタップされると、利用金額の精算が実行される。
【００４５】
ステップ３０７において、携帯端末８は、携帯端末８で利用金額の精算が実行されると、その旨を通知する精算応答を、ネットワーク通信を通じてデータセンター１０に送信する。
【００４６】
ステップ３０８において、データセンター１０は、携帯端末８から精算応答を受信すると、入庫時とは別の鍵情報Ｄｋを生成する。このとき生成される鍵情報Ｄｋは、入庫用鍵情報Ｄｋ１とは別の値を有する出庫用鍵情報Ｄｋ２とする。具体的には、出庫用鍵情報Ｄｋ２には、例えば退場ゲート６の通過を１度のみ許可する情報を含むものであることが好ましい。
【００４７】
ステップ３０９において、データセンター１０は、出庫用に生成した鍵情報Ｄｋ（出庫用鍵情報Ｄｋ２）を、ネットワーク通信を通じて携帯端末８に送信する。
ステップ３１０において、携帯端末８は、車両３の出庫の際に、退場ゲート６に近づいたとする。
【００４８】
ステップ３１１において、携帯端末８は、退場ゲート６の第２認証装置１１ｂと近距離無線通信を接続する。携帯端末８は、退場ゲート６の第２認証装置１１ｂとの通信が確立すると、出庫用鍵情報Ｄｋ２の認証を実行する。なお、近距離無線通信の接続、及び出庫用鍵情報Ｄｋ２の認証は、前述の入庫時と同様の処理であるので、説明を省略する。
【００４９】
ステップ３１２において、携帯端末８は、出庫用鍵情報Ｄｋ２の認証成立後、退場ゲート６の開作動を要求するゲート開要求を、近距離無線を通じて第２認証装置１１ｂに送信する。ゲート開要求は、ユーザ認証鍵によって暗号化されて送信される。なお、退場ゲート６の開作動は、例えば携帯端末８での操作を必要とするものでもよい。この場合、例えば携帯端末８の画面上に退場ゲート開操作ボタンを表示し、同ボタンをタップする操作であることが好ましい。
【００５０】
ステップ３１３において、第２認証装置１１ｂは、携帯端末８からゲート開要求を受信すると、これをゲート制御部２１ｂに出力する。
ステップ３１４において、ゲート制御部２１ｂは、ゲート開要求の入力を契機に退場ゲート６を開く。これにより、車両３が時間貸し駐車場２外に退場することが可能となる。
【００５１】
ステップ３１５において、ゲート制御部２１ｂは、退場ゲート６を開状態に切り替えると、その旨を通知するゲート開応答を第２認証装置１１ｂに出力する。
ステップ３１６において、第２認証装置１１ｂは、ゲート制御部２１ｂからゲート開応答を入力すると、これを、近距離無線を通じて携帯端末８を送信する。ゲート開応答は、ユーザ認証鍵によって暗号化されて送信される。携帯端末８は、第２認証装置１１ｂからゲート開応答を受信すると、例えばその旨を携帯端末８の画面上に表示するなどして、退場ゲート６が開いたことをユーザに通知する。
【００５２】
ステップ３１７において、携帯端末８の情報通知部２６は、第２認証装置１１ｂからゲート開応答を受信すると、時間貸し駐車場２の利用状態として、時間貸し駐車場２からの出庫を表す出庫履歴データＤ２を、ネットワーク通信を通じてデータセンター１０に送信する。出庫履歴データＤ２は、例えば時間貸し駐車場２の利用者情報と、時間貸し駐車場２からの出庫時間とを含むデータであることが好ましい。また、情報通知部２６は、携帯端末８とデータセンター１０との間で持ち合う秘密鍵によって出庫履歴データＤ２を暗号化して、携帯端末８からデータセンター１０に送信する。
【００５３】
データセンター１０は、携帯端末８から出庫履歴データＤ２を受信すると、この出庫履歴データＤ２から、このときにユーザが何時に時間貸し駐車場２から車両３を出庫したのかが分かる。また、データセンター１０は、出庫する各車両３から出庫履歴データＤ２を受け付けるので、時間貸し駐車場２の空き状態を把握することが可能となる。よって、時間貸し駐車場２の予約表に利用状況を反映することも可能となる。
【００５４】
さて、本例の場合、複数人により共用される機器７（時間貸し駐車場２）の利用状態を、機器７（時間貸し駐車場２）を利用するユーザの携帯端末８を通じてデータセンター１０に通知することが可能となる。このため、機器７（時間貸し駐車場２）の利用状態をデータセンター１０に通知するにあたって、別の部材を機器７やその関連の設備（ゲート機４）等に別途設けずに済む。よって、システム構成を簡素化することができる。また、例えばゲート機４にネットワーク回線を引くことなく、時間貸し駐車場２の利用状態をデータセンター１０で確認することもできる。
【００５５】
携帯端末８が利用状態を通知する相手は、鍵情報Ｄｋを発行するデータセンター１０である。よって、鍵情報Ｄｋを付与した携帯端末８で機器７（時間貸し駐車場２）が利用された場合に、その利用後の状態を、現状の機器７（時間貸し駐車場２）の利用状態としてデータセンター１０に通知することができる。
【００５６】
情報通知部２６は、携帯端末８とデータセンター１０との間で持ち合う秘密鍵で利用状態のデータを暗号化して送信する。よって、携帯端末８からデータセンター１０に利用状態を通知するときの改竄に対するセキュリティ性を確保することができる。
【００５７】
機器７が設けられた設備１は、時間貸し駐車場２である。利用状態は、時間貸し駐車場２に駐車される車両３の入庫履歴データＤ１及び出庫履歴データＤ２である。このため、時間貸し駐車場２の利用状態を、携帯端末８を通じてデータセンター１０に通知することが可能となる。よって、時間貸し駐車場２の利用状態を、簡素なシステム構成により、逐次管理することができる。
【００５８】
なお、本実施形態は、以下のように変更して実施することができる。本実施形態及び以下の変更例は、技術的に矛盾しない範囲で互いに組み合わせて実施することができる。
・入場ゲート５及び退場ゲート６は、入場ゲート５が入場ゲートバー５ａを有し、退場ゲート６が退場ゲートバー６ａを有するバー式に限らず、例えばロック板で車両３のタイヤを固定するロック板式など、他の方式のものも適用できる。
【００５９】
・認証装置１１は、入場ゲート５と退場ゲート６とで別々に設けられることに限らず、両方に共用されるように１つのみ設けられたものでもよい。
・利用状態は、時間貸し駐車場２の入庫履歴や出庫履歴の各データに限定されない。例えば、時間貸し駐車場２の空き状態や、これまでの利用履歴を確認できるのであれば、これらを通知するデータとしてもよい。
【００６０】
・利用状態を通知する相手は、データセンター１０に限らず、これとは別のセンター（サーバ）としてもよい。
・認証装置１１は、設備１に後付けされる構成、或いは設備１に予め組み付いている構成のいずれでもよい。
【００６１】
・認証装置１１の搭載場所は、設備１のいずれの場所であってもよい。
・設備１の予約手続きは、携帯端末８で行われることに限らず、別の端末で実行されてもよい。
【００６２】
・鍵情報Ｄｋは、ワンタイムキーに限定されず、使用に時間制限の要素が入っている情報であればよい。
・鍵情報Ｄｋに含ませる内容は、実施形態以外の態様に変更可能である。
【００６３】
・鍵情報Ｄｋは、データセンター１０で生成されることに限定されず、外部であれば、どの場所でもよい。
・携帯端末８は、高機能携帯電話に限定されず、種々の端末に変更可能である。
【００６４】
・携帯端末８や認証装置１１は、ユーザ認証鍵をどのような手順や方式で取得してもよい。
・制御処理部２２ａ，２２ｂの有効への切り替えは、何を条件としてもよい。
【００６５】
・近距離無線通信は、ブルートゥース通信に限定されず、他の通信方式に変更可能である。
・携帯端末８及び認証装置１１の間の通信、携帯端末８及びデータセンター１０の間の通信は、種々の周波数、通信方式が適用可能である。
【００６６】
・認証や暗号通信に使用する暗号鍵は、例えば鍵情報Ｄｋ、認証装置固有鍵、ユーザ認証鍵、キー固有鍵のうち、どの鍵を使用してもよい。例えば、処理の途中で使用する暗号鍵を切り替えれば、通信のセキュリティ性を確保するのに有利となる。また、使用する暗号鍵は、前述した鍵に限定されず、種々のものに変更してもよい。
【００６７】
・認証装置１１及びゲート制御部２１ａ，２１ｂの通信は、有線及び無線のどちらでもよい。
・設備１は、時間貸し駐車場２に限定されず、例えば宿泊施設など、他のサービス機器に変更可能である。
【００６８】
・機器７は、入場ゲートバー５ａや退場ゲートバー６ａに限定されず、例えば車両３などの他の部材に変更可能である。
・鍵情報Ｄｋが付与される携帯端末８と、利用状態を通知する携帯端末８とが、異なる端末であってもよい。
【符号の説明】
【００６９】
１…設備、２…時間貸し駐車場、３…車両、７…機器、８…携帯端末、９…共用システム、１０…データセンター、１１…認証装置、２６…情報通知部、Ｄｋ…鍵情報、Ｄｋ１…入庫用鍵情報、Ｄｋ２…出庫用鍵情報、Ｄ１…入庫履歴データ、Ｄ２…出庫履歴データ。
【図１】
2019191883.tif 000003
【図２】
2019191883.tif 000004
【図３】
2019191883.tif 000005
【図４】
2019191883.tif 000006
【図５】
2019191883.tif 000007